(57)【要約】【課題】シート状脱脂綿を確実に保持することができる美容装置を提供すること。【解決手段】本体２と、この本体２から突出して設けられた関電極５と、不関電極として作用する筒状蓋体４と、開口部１３が設けられたカバー３と、このカバー３を本体２に対して閉状態で保持する係止部９とを有し、前記カバー３の開口部１３から前記関電極５を露出可能としたものであり、前記カバー３に、このカバー３の閉状態時に前記本体２に向かって突出する突起部１４を、前記開口部１３に沿って設けたことで、美容液等を含浸させたシート状脱脂綿Ｃを前記関電極５に被せ、前記カバー３を前記係止部９によって前記本体２に対し閉状態に保持させると、前記突起部１４と前記本体２によって前記シート状脱脂綿Ｃが保持されるので、前記シート状脱脂綿Ｃを弛みなく保持することができる。【選択図】図４
2011152178.tif 000002
【特許請求の範囲】
【請求項１】
本体と、この本体から突出して設けられた関電極と、不関電極と、開口部が設けられたカバーと、このカバーを本体に対して閉状態で保持する係止部とを有し、前記カバーの開口部から前記関電極を露出可能な美容装置において、
前記カバーに、このカバーの閉状態時に前記本体に向かって突出する突起部を、前記開口部に沿って設けたことを特徴とする美容装置。
【請求項２】
前記突起部を、尖端を有する複数の錐状突起によって構成したことを特徴とする請求項１記載の美容装置。
【請求項３】
前記錐状突起を、反開口部側に傾斜させた形状に構成したことを特徴とする請求項２記載の美容装置。
【請求項４】
本体と、この本体から突出して設けられた関電極と、不関電極と、開口部が設けられたカバーと、このカバーを本体に対して閉状態で保持する係止部とを有し、前記カバーの開口部から前記関電極を露出可能な美容装置において、
前記本体に、前記カバーの閉状態時にこのカバーに向かって突出する突起部を、前記関電極を囲むように設けたことを特徴とする美容装置。
【請求項５】
前記突起部を、尖端を有する複数の錐状突起によって構成したことを特徴とする請求項４記載の美容装置。
【請求項６】
前記錐状突起を、反関電極側に傾斜させた形状に構成したことを特徴とする請求項５記載の美容装置。
【発明の詳細な説明】
【技術分野】
【０００１】
本発明は、有用物質を静電的に皮膚から人体に導入したり、老廃物を静電的に皮膚から除去したりする美容装置に関するものである。
【背景技術】
【０００２】
従来、この種の美容装置として、例えば、導電性ラバーヘッド（本発明の関電極に相当する）と導体（本発明の不関電極に相当する）とを有し、前記ラバーヘッドを被覆したガーゼを前記ラバーヘッドと上カバーとで挟持すると共に、このカバーに設けられた丸孔から前記ガーゼを露出させ、このガーゼに美容液を含浸させて皮膚に押し当てることができるようにしたものが知られている（例えば、特許文献１参照。）。このような装置において、ガーゼの代わりにシート状に形成された脱脂綿を使用することも可能である。
【先行技術文献】
【特許文献】
【０００３】
【特許文献１】特開２００４−１８０９０１号公報
【発明の概要】
【発明が解決しようとする課題】
【０００４】
しかしながら、シート状脱脂綿は、製品によって厚さや大きさが一定ではない。このため、前述した美容装置は、使用する前記シート状脱脂綿が薄ければ、使用中に前記シート状脱脂綿が動くことで弛んでしまい、良好に使用できないという問題が発生する。逆に、前述した美容装置は、使用する前記シート状脱脂綿が厚ければ、前記カバーを閉じることができないという問題が発生する。このような問題は、専用のシート状脱脂綿を用意すれば一応解決可能であるが、専用品が入手できない場合も考慮されるべきである。
【０００５】
本発明は以上の問題点を解決し、シート状脱脂綿を確実に保持することができる美容装置を提供することを目的とする。
【課題を解決するための手段】
【０００６】
本発明の請求項１に記載の美容装置は、本体と、この本体から突出して設けられた関電極と、不関電極と、開口部が設けられたカバーと、このカバーを本体に対して閉状態で保持する係止部とを有し、前記カバーの開口部から前記関電極を露出可能な美容装置において、前記カバーに、このカバーの閉状態時に前記本体に向かって突出する突起部を、前記開口部に沿って設けたものである。
【０００７】
また、本発明の請求項２に記載の美容装置は、請求項１において、前記突起部を、尖端を有する複数の錐状突起によって構成したものである。
【０００８】
また、本発明の請求項３に記載の美容装置は、請求項２において、前記錐状突起を、反開口部側に傾斜させた形状に構成したものである。
【０００９】
また、本発明の請求項４に記載の美容装置は、本体と、この本体から突出して設けられた関電極と、不関電極と、開口部が設けられたカバーと、このカバーを本体に対して閉状態で保持する係止部とを有し、前記カバーの開口部から前記関電極を露出可能な美容装置において、前記本体に、前記カバーの閉状態時にこのカバーに向かって突出する突起部を、前記関電極を囲むように設けたものである。
【００１０】
また、本発明の請求項５に記載の美容装置は、請求項４において、前記突起部を、尖端を有する複数の錐状突起によって構成したものである。
【００１１】
更に、本発明の請求項６に記載の美容装置は、請求項５において、前記錐状突起を、反関電極側が起立した形状に構成したものである。
【発明の効果】
【００１２】
本発明の請求項１に記載の美容装置は、以上のように構成することにより、美容液等を含浸させたシート状脱脂綿を前記関電極に被せ、前記カバーを前記係止部によって前記本体に対し閉状態に保持させると、前記突起部と前記本体によって前記シート状脱脂綿が挟着されるので、化粧用として一般的に用いられる様々な厚さのシート状脱脂綿に対応できるよう前記本体とカバーの隙間を大きくしたとしても、前記シート状脱脂綿を弛みなく保持することができる。
【００１３】
また、前記突起部を、尖端を有する複数の前記錐状突起によって構成することにより、前記シート状脱脂綿の繊維が前記錐状突起に絡んだり、或いは前記シート状脱脂綿に前記錐状突起が刺さったりすることで、前記シート状脱脂綿をより確実に弛みなく保持することができる。
【００１４】
また、前記錐状突起を、反開口部側に傾斜させることにより、皮膚上で前記シート状脱脂綿が被せられた関電極を動かす場合、皮膚との摩擦により、前記シート状脱脂綿が弛むように引っ張られるが、逆に、この力によって前記錐状突起が前記シート状脱脂綿に食い込むので、前記シート状脱脂綿を更に確実に弛みなく保持することができる。
【００１５】
また、本発明の請求項４に記載の美容装置は、以上のように構成することにより、美容液等を含浸させたシート状脱脂綿を前記関電極に被せ、前記カバーを前記係止部によって前記本体に対し閉状態に保持させると、前記突起部と前記本体によって前記シート状脱脂綿が挟着されるので、化粧用として一般的に用いられる様々な厚さのシート状脱脂綿に対応できるよう前記本体とカバーの隙間を大きくしたとしても、前記シート状脱脂綿を弛みなく保持することができる。
【００１６】
また、前記突起部を、尖端を有する複数の前記錐状突起によって構成することにより、前記シート状脱脂綿の繊維が前記錐状突起に絡んだり、或いは前記シート状脱脂綿に前記錐状突起が刺さったりすることで、前記シート状脱脂綿をより確実に弛みなく保持することができる。
【００１７】
更に、前記錐状突起を、反関電極側に傾斜させることにより、皮膚上で前記シート状脱脂綿が被せられた関電極を動かす場合、皮膚との摩擦により、前記シート状脱脂綿が弛むように引っ張られるが、逆に、この力によって前記錐状突起が前記シート状脱脂綿に食い込むので、前記シート状脱脂綿を更に確実に弛みなく保持することができる。
【図面の簡単な説明】
【００１８】
【図１】本発明の第一の実施形態を示す美容装置の正面図である。
【図２】同、背面図である。
【図３】同、分解図である。
【図４】同、要部の拡大端面図であり、（ａ）は美容装置のみの状態、（ｂ）はシート状脱脂綿を挟んだ状態である。
【図５】本発明の第二の実施形態を示す美容装置の要部の拡大端面図であり、（ａ）は美容装置のみの状態、（ｂ）はシート状脱脂綿を挟んだ状態である。
【図６】本発明の第三の実施形態を示す美容装置の要部の拡大端面図であり、（ａ）は美容装置のみの状態、（ｂ）はシート状脱脂綿を挟んだ状態である。
【発明を実施するための形態】
【００１９】
以下、本発明の実施形態について、図１乃至図４に基づいて説明する。なお、以下の説明において、図１及び図２の姿勢を基準として、上下を規定する。１は本発明の美容装置である。この美容装置１は、本体２と、この本体２に対して揺動可能に取り付けられたカバー３と、前記本体２に対して着脱自在に取り付けられた筒状蓋体４とを有して構成される。
【００２０】
前記本体２の正面側上部には、導電性ゴムによって構成された関電極５が、前方に突出して設けられる。なお、この関電極５は、正面視で上下に長い長円形となる。そして、前記本体２の正面側には、前記関電極５の左右に、凹溝部６が形成される。また、前記本体２の背面側には、操作ボタン７及び表示部８が設けられる。また、前記本体２の上端部には、係止部９が設けられる。また、前記本体２の下部には、電池Ｂを収納するための電池収容部１０が設けられる。なお、前記電池収容部１０の上部には、前記筒状蓋体４を固定するための固定溝部１１が形成される。更に、前記本体２の下端部には、前記電池Ｂと電気的に接続された中間電極１２が設けられる。
【００２１】
前記カバー３は、その下端部が、前記本体２に対して枢支される。また、前記カバー３には、前記関電極５に対応して開口部１３が形成される。そして、前記カバー３の上端部は、前記係止部９によって係止可能に構成される。従って、前記カバー３は、その上端が前記本体２から離れた開状態と、その上端が前記本体２の係止部９と係合した閉状態との何れかの状態にすることができる。そして、前記カバー３の閉状態では、前記開口部１３から前記関電極５が露出可能に構成される。また、前記カバー３の閉状態では、前記本体２とカバー３との間には、化粧用として一般的に用いられる様々な厚さのシート状脱脂綿Ｃを挟むことができるように、適度の間隙が設けられる。更に、前記カバー３の開口部１３近傍には、前記本体２の凹溝部６に対応して、突起部１４が形成される。なお、この突起部１４は、尖端を有する複数の錐状突起１５から構成される。そして、これらの錐状突起１５は、反開口部１３側、即ち外向きに傾斜して形成される。
【００２２】
前記筒状蓋体４は、合成樹脂によって有底筒状に形成される。そして、この筒状蓋体４は、その外面及び内面全体が、導電性物質（例えば金属鍍金等）により被覆される。また、前記筒状蓋体４の上部内面には、前記本体２の固定溝部１１に対応して、固定突起１６が設けられる。そして、この固定突起１６と前記本体２の固定溝部１１とで、前記筒状蓋体４は、前記本体２の下部に対し、バヨネット式に取り付けられる。この際、前記電池収容部１０は、前記筒状蓋体４によって覆われる。また、この際、前記中間電極１２は、前記筒状蓋体４の内底部４Ａと接触する。そして、前述した通り、前記筒状蓋体４の外面及び内面が導電性物質によって被覆されているので、前記筒状蓋体４は、前記中間電極１２を介して前記電池Ｂと電気的に接続される。これによって、前記筒状蓋体４は、不関電極として作用する。
【００２３】
次に、本実施形態の作用について説明する。まず、使用者は、前記筒状蓋体４を、前記本体２の底部側から見て右回りに回動させた後、引き抜くことで、前記本体２から取り外し、前記電池収容部１０を露出させる。そして、前記電池収容部１０が露出した状態で、この電池収容部１０に前記電池Ｂを収納する。更に、前記筒状蓋体４を前記電池収容部１０に被せ、前記本体２の底部側から見て左回りに回動させることで、前記固定溝部１１と固定突起１６とが係合し、前記筒状蓋体４が前記本体２に取り付けられる。この際、前述したように、前記筒状蓋体４が、前記中間電極１２を介して前記電池Ｂと電気的に接続されることで、前記筒状蓋体４は、不関電極となる。従って、前記電池収容部１０の開口を閉塞する構成が、不関電極を兼ねるので、部品点数を削減することができるばかりでなく、前記本体２の表面に、この本体２の外殻体と不関電極の継ぎ目のみが表れ、前記本体２の外殻体と電池蓋との継ぎ目による隙間が表れないので、デザインを良好にすることができる。そして、前述したように、前記筒状蓋体４の外面全体が導電性物質によって被覆されることで、前記本体２の下部を把持すれば、使用者の手は必ず前記筒状蓋体４、即ち不関電極に触れることができる。従って、本発明の美容装置１は、通常の持ち方であれば、確実に不関電極に触れることができる。
【００２４】
次に、前記カバー３を開状態とし、前記関電極５に前記シート状脱脂綿Ｃを被せる。そして、この状態で、前記カバー３を閉じる。すると、前記シート状脱脂綿Ｃは、前記カバー３の開口部１３から露出すると共に、前記突起部１４によって引っ張られることによって、前記関電極５の表面に密着する。更に、前記カバー３の上端部を、前記係止部９によって係止することで、前記カバー３を閉じた状態とする。この際、前記シート状脱脂綿Ｃは、前記凹溝部６と突起部１４によって、図４（ｂ）に示すように、Ｓ字状に湾曲する。そして、前記シート状脱脂綿Ｃは、Ｓ字状に湾曲した位置における前記突起部１４との摩擦によって、保持される。従って、前記カバー３の閉状態において、前述したように、前記本体２とカバー３との間に間隙が設けられたとしても、前記凹溝部６と突起部１４によって、前記シート状脱脂綿Ｃが弛まないように保持することができる。なお、尖端を有する複数の錐状突起１５で前記突起部１４を構成したことで、前記錐状突起１５の尖端が、前記シート状脱脂綿Ｃに突き刺さったり、前記錐状突起１５の尖端が前記シート状脱脂綿Ｃの繊維と絡んだりすることができる。更に、このようにして固定された前記シート状脱脂綿Ｃに、導電性の美容液等を含浸させる。このようにして、前記美容装置１が使用可能な状態となる。
【００２５】
そして、使用者は、前記美容装置１の下部を把持し、前記操作ボタン７を操作する。更に、前記シート状脱脂綿Ｃを皮膚に当て、この皮膚に沿って前記美容装置１を動かす。このように、前記シート状脱脂綿Ｃを皮膚に当てると、この皮膚と手との間の人体を電流が流れる。そして、人体を電流が流れると、皮膚上の老廃物や汚れが帯電し、前記関電極５側に移動する。そして、このように前記関電極５に向かって移動した老廃物や汚れは、前記シート状脱脂綿Ｃに捕捉される。このようにして、皮膚上の老廃物や汚れが静電的に吸引除去される。
【００２６】
なお、前述したように、前記シート状脱脂綿Ｃは、Ｓ字状に湾曲した位置における前記突起部１４との摩擦によって保持されるので、皮膚に沿って動かしたとしても、前記関電極５上で弛みにくくすることができる。また、前記錐状突起１５の尖端が、前記シート状脱脂綿Ｃに突き刺さったり、前記錐状突起１５の尖端が前記シート状脱脂綿Ｃの繊維と絡んだりすることができるので、前記シート状脱脂綿Ｃが前記関電極５上で面方向により一層弛みにくくすることができる。更に前記錐状突起１５が、反開口部１３側、即ち外側に向かって傾斜しているので、前記シート状脱脂綿Ｃが前記関電極５上で弛むようにズレたとしても、このズレによって前記錐状突起１５の尖端が前記シート状脱脂綿Ｃに突き刺さったり絡んだりするので、前記シート状脱脂綿Ｃのズレを食い止め、より一層弛みにくくすることができる。
【００２７】
以上のように、本実施形態の美容装置１は、本体２と、この本体２から突出して設けられた関電極５と、不関電極として作用する筒状蓋体４と、開口部１３が設けられたカバー３と、このカバー３を本体２に対して閉状態で保持する係止部９とを有し、前記カバー３の開口部１３から前記関電極５を露出可能であり、前記カバー３に、このカバー３の閉状態時に前記本体２に向かって突出する突起部１４を、前記開口部１３に沿って設けたことで、美容液等を含浸させたシート状脱脂綿Ｃを前記関電極５に被せ、前記カバー３を前記係止部９によって前記本体２に対し閉状態に保持させると、前記突起部１４と前記本体２によって前記シート状脱脂綿Ｃが保持されるので、化粧用として一般的に用いられる様々な厚さのシート状脱脂綿Ｃに対応できるよう前記本体２とカバー３の隙間を大きくしたとしても、前記シート状脱脂綿Ｃを弛みなく保持することができるものである。
【００２８】
また、本実施形態の美容装置１は、前記突起部１４を、尖端を有する複数の前記錐状突起１５によって構成することにより、前記シート状脱脂綿Ｃの繊維が前記錐状突起１５の尖端に絡んだり、或いは前記シート状脱脂綿Ｃに前記錐状突起１５の尖端が突き刺さったりすることで、前記シート状脱脂綿Ｃをより確実に弛みなく保持することができるものである。
【００２９】
更に、本実施形態の美容装置１は、前記錐状突起１５を、反開口部１３側、即ち外向きに傾斜させることにより、皮膚上で前記シート状脱脂綿Ｃが被せられた関電極５を動かす場合、皮膚との摩擦により、前記シート状脱脂綿Ｃが弛むように引っ張られたとしても、この力によって前記錐状突起１５の尖端が前記シート状脱脂綿Ｃに食い込むので、前記シート状脱脂綿Ｃを更に確実に弛みなく保持することができるものである。
【００３０】
次に、本発明の第二の実施形態について、図５に基づいて説明する。第二の実施形態の美容装置２１では、第一の実施形態の場合とは逆に、本体２２の関電極５の左右両側に、突起部２３を設けると共に、開口部２４を有するカバー２５に、前記突起部２３に対応させて凹溝部２６を形成する。なお、前記突起部２３は、前記カバー２５の閉状態時において、このカバー２５に向かって突出する。また、前記突起部２３は、尖端を有する複数の錐状突起２７によって構成される。更に、これらの錐状突起２７は、反関電極５側、即ち外向きに傾斜して形成される。
【００３１】
そして、第二の実施形態でも、前記カバー２５を開状態とし、前記関電極５にシート状脱脂綿Ｃを被せた後、前記カバー２５を閉状態とすることで、前記シート状脱脂綿Ｃは、前記凹溝部２６と突起部２３によって、図５（ｂ）に示すように、Ｓ字状に湾曲する。そして、前記シート状脱脂綿Ｃは、Ｓ字状に湾曲した位置における前記突起部２３との摩擦によって、保持される。従って、前記カバー２５の閉状態において、前記本体２２とカバー２５との間に間隙が設けられたとしても、また、前記シート状脱脂綿Ｃを皮膚に沿って動かしたとしても、前記凹溝部２６と突起部２３によって、前記シート状脱脂綿Ｃが弛まないように保持することができる。なお、尖端を有する複数の錐状突起２７で前記突起部２３を構成したことで、前記錐状突起２７の尖端が、前記シート状脱脂綿Ｃに突き刺さったり、前記錐状突起２７の尖端が前記シート状脱脂綿Ｃの繊維と絡んだりすることができるので、前記シート状脱脂綿Ｃが前記関電極５上で面方向により一層弛みにくくすることができる。更に、前記錐状突起２７が、反関電極５側、即ち外側に向かって傾斜することで、前記シート状脱脂綿Ｃが前記関電極５上で弛むようにズレたとしても、このズレによって前記錐状突起２７の尖端が前記シート状脱脂綿Ｃに突き刺さったり絡んだりするので、前記シート状脱脂綿Ｃのズレを食い止め、より一層弛みにくくすることができる。
【００３２】
以上のように、本実施形態の美容装置２１は、本体２２と、この本体２２から突出して設けられた関電極５と、不関電極として作用する筒状蓋体４と、開口部２４が設けられたカバー２５と、このカバー２５を本体２１に対して閉状態で保持する係止部９とを有し、前記カバー２５の開口部２４から前記関電極５を露出可能であり、前記本体２２に、前記カバー２５の閉状態時にこのカバー２５に向かって突出する突起部２３を、前記関電極５に沿って設けたことで、美容液等を含浸させたシート状脱脂綿Ｃを前記関電極５に被せ、前記カバー２５を前記係止部９によって前記本体２２に対し閉状態に保持させると、前記突起部２３と前記カバー２５によって前記シート状脱脂綿Ｃが保持されるので、化粧用として一般的に用いられる様々な厚さのシート状脱脂綿Ｃに対応できるよう前記本体２２とカバー２５の隙間を大きくしたとしても、前記シート状脱脂綿Ｃを弛みなく保持することができるものである。
【００３３】
また、本実施形態の美容装置２１は、前記突起部２３を、尖端を有する複数の前記錐状突起２７によって構成することにより、前記シート状脱脂綿Ｃの繊維が前記錐状突起２７の尖端に絡んだり、或いは前記シート状脱脂綿Ｃに前記錐状突起２７の尖端が突き刺さったりすることで、前記シート状脱脂綿Ｃをより確実に弛みなく保持することができるものである。
【００３４】
更に、本実施形態の美容装置２１は、前記錐状突起２７を、反関電極５側、即ち外向きに傾斜させることにより、皮膚上で前記シート状脱脂綿Ｃが被せられた関電極５を動かす場合、皮膚との摩擦により、前記シート状脱脂綿Ｃが弛むように引っ張られたとしても、この力によって前記錐状突起２７の尖端が前記シート状脱脂綿Ｃに食い込むので、前記シート状脱脂綿Ｃを更に確実に弛みなく保持することができるものである。
【００３５】
次に、本発明の第三の実施形態について、図６に基づいて説明する。第三の実施形態の美容装置３１では、本体３２の関電極５の左右両側に、突起部３３を設けると共に、開口部３４を有するカバー３５にも、突起部３６を形成する。なお、前記突起部３３は、前記カバー３５の閉状態時において、このカバー３５に向かって突出する。一方、前記突起部３６は、前記カバー３５の閉状態時において、前記本体３２に向かって突出する。また、前記突起部３６は、前記カバー３５の閉状態時において、前記突起部３３よりも前記関電極５側に設けられる。そして、前記突起部３３及び３６は、それぞれ、尖端を有する複数の錐状突起３７及び３８によって構成される。更に、前記各錐状突起３７は、反関電極５側、即ち外向きに傾斜して形成されると共に、前記各錐状突起３８は、反開口部３４側、即ち外向きに傾斜して形成される。
【００３６】
そして、第三の実施形態でも、前記カバー３５を開状態とし、前記関電極５にシート状脱脂綿Ｃを被せた後、前記カバー３５を閉状態とすることで、前記シート状脱脂綿Ｃは、前記各突起部３３，３６によって、図６（ｂ）に示すように、Ｓ字状に湾曲する。そして、前記シート状脱脂綿Ｃは、Ｓ字状に湾曲した位置における前記突起部３３，３６との摩擦によって、保持される。従って、前記カバー３５の閉状態において、前記本体３２とカバー３５との間に間隙が設けられたとしても、また、前記シート状脱脂綿Ｃを皮膚に沿って動かしたとしても、各突起部３３，３６によって、前記シート状脱脂綿Ｃが弛まないように保持することができる。なお、尖端を有する複数の錐状突起３７で前記突起部３３を構成すると共に、尖端を有する複数の錐状突起３８で前記突起部３６を構成したことで、前記錐状突起３７，３８の尖端が、前記シート状脱脂綿Ｃに突き刺さったり、前記錐状突起３７，３８の尖端が前記シート状脱脂綿Ｃの繊維と絡んだりすることができるので、前記シート状脱脂綿Ｃが前記関電極５上で面方向により一層弛みにくくすることができる。更に、前記錐状突起３７が、反関電極５側、即ち外側に向かって傾斜すると共に、前記錐状突起３８が、反開口部３４側、即ち外側に向かって傾斜することで、前記シート状脱脂綿Ｃが前記関電極５上で弛むようにズレたとしても、このズレによって前記錐状突起３７，３８の尖端が前記シート状脱脂綿Ｃに突き刺さったり絡んだりするので、前記シート状脱脂綿Ｃのズレを食い止め、より一層弛みにくくすることができる。
【００３７】
以上のように、本実施形態の美容装置３１は、本体３２と、この本体３２から突出して設けられた関電極５と、不関電極として作用する筒状蓋体４と、開口部３４が設けられたカバー３５と、このカバー３５を本体３１に対して閉状態で保持する係止部９とを有し、前記カバー３５の開口部３４から前記関電極５を露出可能であり、前記本体３２に、前記カバー３５の閉状態時にこのカバー３５に向かって突出する突起部３３を、前記関電極５に沿って設けると共に、前記カバー３５に、このカバー３５の閉状態時に前記本体３２に向かって突出する突起部３６を前記開口部３４に沿って設けたことで、美容液等を含浸させたシート状脱脂綿Ｃを前記関電極５に被せ、前記カバー３５を前記係止部９によって前記本体３２に対し閉状態に保持させると、前記突起部３３及び３６によって前記シート状脱脂綿Ｃが保持されるので、化粧用として一般的に用いられる様々な厚さのシート状脱脂綿Ｃに対応できるよう前記本体３２とカバー３５の隙間を大きくしたとしても、前記シート状脱脂綿Ｃを弛みなく保持することができるものである。
【００３８】
また、本実施形態の美容装置３１は、前記突起部３３を、尖端を有する複数の前記錐状突起３７によって構成すると共に、前記突起部３６を、尖端を有する複数の前記錐状突起３８によって構成することにより、前記シート状脱脂綿Ｃの繊維が前記錐状突起３７，３８の尖端に絡んだり、或いは前記シート状脱脂綿Ｃに前記錐状突起３７，３８の尖端が突き刺さったりすることで、前記シート状脱脂綿Ｃをより確実に弛みなく保持することができるものである。
【００３９】
更に、本実施形態の美容装置３１は、前記錐状突起３７を、反関電極５側、即ち外向きに傾斜させると共に、前記錐状突起３８を、反開口部３４側、即ち外向きに傾斜させることにより、皮膚上で前記シート状脱脂綿Ｃが被せられた関電極５を動かす場合、皮膚との摩擦により、前記シート状脱脂綿Ｃが弛むように引っ張られたとしても、この力によって前記錐状突起３７，３８の尖端が前記シート状脱脂綿Ｃに食い込むので、前記シート状脱脂綿Ｃを更に確実に弛みなく保持することができるものである。
【００４０】
なお、本発明は以上の実施形態に限定されるものではなく、発明の要旨の範囲内で種々の変形実施が可能である。例えば、上記各実施形態は、何れも、皮膚上の汚れや老廃物を静電的に吸引除去する美容装置であるが、シート状脱脂綿に含浸させた薬剤等を静電的に経皮導入する美容装置に適用しても良い。
【符号の説明】
【００４１】
１，２１，３１  美容装置
２，２２，３２  本体
３，２５，３５  カバー
４  筒状蓋体（不関電極）
５  関電極
９  係止部
１３，２４，３４  開口部
１４，２３，３３，３６  突起部
１５，２７，３７，３８  錐状突起
Ｃ  シート状脱脂綿
【図１】
2011152178.tif 000003
【図２】
2011152178.tif 000004
【図３】
2011152178.tif 000005
【図４】
2011152178.tif 000006
【図５】
2011152178.tif 000007
【図６】
2011152178.tif 000008